(57)【要約】      （修正有）【課題】寸法の異なるワイヤーロープとステンレス鋼製スリーブとの締結作業を容易かつ確実に行うことができるワイヤーロープ用スリーブを提供する。 【解決手段】所定長さと直径から成るステンレス鋼製のスリーブ体１の短手方向周面部にワイヤーロープの直径に対応して単数又は複数の異なる数の筋線２〜７を表示して成るワイヤーロープスリーブである。作業員はワイヤーロープの一端部を挿入するステンレス鋼製のスリーブ体を、その周面に表示されている筋線の本数を視認することによって、挿通して輪っかを作成した後に所定位置で固定するワイヤーロープを選別することができ、両部材の締結作業を容易かつ迅速に行うことができるようになる。【選択図】図１
0003210563.tif 000002
【実用新案登録請求の範囲】
【請求項１】
所定長さと直径から成るスリーブ体の周方向に単数又は複数の異なる数の筋線を表示して成ることを特徴とするワイヤーロープスリーブ。
【考案の詳細な説明】
【技術分野】
【０００１】
本考案は、硬質金属材であるステンレス鋼によって製作するオーバルスリーブの周面に筋線を構成することにより、取付けようとするワイヤーロープの直径に適合するスリーブを選別することができるようにするワイヤーロープスリーブに関するものである。
【背景技術】
【０００２】
ワイヤーロープは、軟質金属材であるアルミニューム製のものをオーバルスリーブの通孔に挿通して輪っかを構成した後、指定工具によって加締めることにより固定し、ロープの滑り抜けを防止する必要があったところ、ワイヤーロープの輪っかである台付けワイヤーを製作する場合は、ワイヤーロープに嵌合する各種のスリーブが適切なものかどうかを確認する必要があるため、その都度スリーブ孔の内径を確認するために計測したり、ワイヤーロープの直径を特殊工具によって適切かどうかを計測しなければならない不便があったから、台付けワイヤーを製作する際にワイヤーロープの直径を確認しかつスリーブサイズとの照合を入念に行わなければならず、欠点となっていた。
【０００３】
また、スリーブを収容している包装袋からスリーブ体が離別してスリーブ体のみが散見される場合は、使用時にスリーブの内径を特殊工具によって計測した後に、適合するワイヤーロープを選定しなければならない手数がかかっていたのである。
【０００４】
これを改良した考案を登録したものが、特許文献に記載したものである。
【先行技術文献】
【特許文献】
【０００５】
【特許文献１】実公昭６３−４８７１９号公報（登録実用新案第１７８３３３号）
【考案の概要】
【考案が解決しようとする課題】
【０００６】
しかしながら、この考案はスリーブがアルミニューム製であることが前提のものであり、硬質材であるステンレス鋼製のスリーブに対するものではなかったことに鑑み、本考案は、寸法の異なるワイヤーロープとステンレス鋼製スリーブとの締結作業を容易かつ確実に行うことを目的とするものである。
【課題を解決するための手段】
【０００７】
本考案は、所定長さと直径から成るステンレス鋼製のスリーブ体の周方向に単数又は複数の異なる数の筋線を表示して成るワイヤーロープスリーブである。
【考案の効果】
【０００８】
本考案は前記のとおりの構成を有するものであるため、作業員はワイヤーロープの一端部を挿入するステンレス鋼製のスリーブ体を、その周面に表示されている筋線の本数を視認することによって、挿通して輪っかを作成した後に所定位置で固定するワイヤーロープを選別することが確実にでき、両部材の締結作業を容易かつ迅速に行うことができるようになり、不適切な寸法のワイヤーロープの使用を未然に防止することができるのである。
【図面の簡単な説明】
【０００９】
【図１】（Ａ）〜（Ｆ）はステンレス鋼スリーブにおける表示例で、正面図と側面図とを並記している。
【図２】ワイヤーロープにスリーブ（図１・Ｄ）を締結した状態図。
【図３】（Ａ）は使用する作業工具の正面図、（Ｂ）のその頭部の正面図。
【考案を実施するための形態】
【００１０】
ワイヤーロープには直径の異なるものが多数用意されているから、作業員は各ワイヤーロープの一端部に挿入するオーバルスリーブをそれぞれ選別し、オーバルスリーブの通孔にワイヤーロープを通して「輪っか」を作った後、前記スリーブを作業工具によって加締めを行って固定するが、その出来上がり状態は図２に示しているとおりである。
【実施例】
【００１１】
本考案に係るスリーブ体の材質は、硬質金属であるステンレス鋼を想定している。
【００１２】
各スリーブ体の大きさは、挿通するワイヤーロープａの直径に合わせて構成した「突き抜け孔」（通孔）の口径差に適合する大きさになる。即ち、ステンレス鋼スリーブは、ワイヤーロープの規格であるステンレススリーブφ１．５，φ２．０，φ３．０，φ４．０，φ５．０，φ６．０・・・・（単位ｍｍ）に合うように通孔部の口径を決めて製造する。
【００１３】
スリーブ体で使用する筋線は、使用可能な最小のワイヤーロープ径のものから、スリーブ体の短手方向（円周方向）に表示し、ワイヤーロープの直径に合うスリーブ体上の表示は、円周方向における筋線の数によって判別するのである。
【００１４】
直径１．５ｍｍのワイヤーロープを使用するステンレス鋼スリーブはＳＳ−１Ａとなり、スリーブ体の筋線は円周方向の１本線とする。（図１・Ａ）
【００１５】
直径２．０ｍｍのワイヤーロープを使用するステンレス鋼スリーブはＳＳ−１Ｂとなり、スリーブ体の筋線は円周方向の２本線とする。（図１・Ｂ）
【００１６】
直径３．０ｍｍのワイヤーロープを使用するステンレス鋼スリーブはＳＳ−３．０となり、スリーブ体の筋線は円周方向の３本線とする。（図１・Ｃ）
【００１７】
直径４．０ｍｍのワイヤーロープを使用するステンレス鋼スリーブはＳＳ−４．０となり、スリーブ体の筋線は円周方向の４本線とする。（図１・Ｄ）
【００１８】
直径５．０ｍｍのワイヤーロープを使用するステンレス鋼スリーブはＳＳ−５．０となり、スリーブ体の筋線は円周方向の５本線とする。（図１・Ｅ）
【００１９】
直径６．０ｍｍのワイヤーロープを使用するステンレス鋼スリーブはＳＳ−６．０となり、スリーブ体の筋線は円周方向の６本線とする。（図１・Ｆ）
【００２０】
なお、各スリーブ体の外観に構成される複数線にあっては、その線間隔は任意であり、本数だけが問題となる。
【００２１】
以上の実施例においては、スリーブ体のステンレス材質によって線引きの方向性を短手方向（周方向）にしている理由は、ステンレス鋼の材質硬度によって線引きし易い工程をとっているのであり、作業員は筋線の本数を見て、異径のワイヤーロープを挿通使用するスリーブの種類をそれぞれ選別すればよいのである。
【符号の説明】
【００２２】
１                          ステンレス鋼製スリーブ体
２                          １本筋線
３                          ２本筋線
４                          ３本筋線
５                          ４本筋線
６                          ５本筋線
７                          ６本筋線
ａ                          ワイヤーロープ
ｂ                          作業工具の頭部
ｃ                          作業工具の柄部
【図１】
0003210563.tif 000003
【図２】
0003210563.tif 000004
【図３】
0003210563.tif 000005
【手続補正書】
【提出日】平成29年2月22日(2017.2.22)
【手続補正１】
【補正対象書類名】明細書
【補正対象項目名】００１３
【補正方法】変更
【補正の内容】
【００１３】
スリーブ体で使用する筋線は、使用可能な最小のワイヤーロープ径のものから、スリーブ体の短手方向（円周方向）に表示し、ワイヤーロープの直径に合うスリーブ体上の表示は、円周方向における筋線の数によって判別するのであり、また下記するＳＳ−１．５乃至ＳＳ−６．０とある記号については、商品のパッケージやタグに記載するものである。
【手続補正２】
【補正対象書類名】明細書
【補正対象項目名】００１４
【補正方法】変更
【補正の内容】
【００１４】
直径１．５ｍｍのワイヤーロープを使用するステンレス鋼スリーブはＳＳ−１．５となり、スリーブ体の筋線は円周方向の１本線とする。（図１・Ａ）
【手続補正３】
【補正対象書類名】明細書
【補正対象項目名】００１５
【補正方法】変更
【補正の内容】
【００１５】
直径２．０ｍｍのワイヤーロープを使用するステンレス鋼スリーブはＳＳ−２．０となり、スリーブ体の筋線は円周方向の２本線とする。（図１・Ｂ）
【手続補正書】
【提出日】平成29年3月29日(2017.3.29)
【手続補正１】
【補正対象書類名】明細書
【補正対象項目名】全文
【補正方法】変更
【補正の内容】
【考案の詳細な説明】
【技術分野】
【０００１】
本考案は、硬質金属材であるステンレス鋼によって製作するオーバルスリーブの周面に筋線を構成することにより、取付けようとするワイヤーロープの直径に適合するスリーブを選別することができるようにするワイヤーロープ用スリーブに関するものである。
【背景技術】
【０００２】
ワイヤーロープは、軟質金属材であるアルミニューム製のものをオーバルスリーブの通孔に挿通して輪っかを構成した後、指定工具によって加締めることにより固定し、ロープの滑り抜けを防止する必要があったところ、ワイヤーロープの輪っかである台付けワイヤーを製作する場合は、ワイヤーロープに嵌合する各種のスリーブが適切なものかどうかを確認する必要があるため、その都度スリーブ孔の内径を確認するために計測したり、ワイヤーロープの直径を特殊工具によって適切かどうかを計測しなければならない不便があったから、台付けワイヤーを製作する際にワイヤーロープの直径を確認しかつスリーブサイズとの照合を入念に行わなければならず、欠点となっていた。
【０００３】
また、スリーブを収容している包装袋からスリーブ体が離別してスリーブ体のみが散見される場合は、使用時にスリーブの内径を特殊工具によって計測した後に、適合するワイヤーロープを選定しなければならない手数がかかっていたのである。
【０００４】
これを改良した考案を登録したものが、特許文献に記載したものである。
【先行技術文献】
【特許文献】
【０００５】
【特許文献１】実公昭６３−４８７１９号公報（登録実用新案第１７８３３３号）
【考案の概要】
【考案が解決しようとする課題】
【０００６】
しかしながら、この考案はスリーブがアルミニューム製であることが前提のものであり、硬質材であるステンレス鋼製のスリーブに対するものではなかったことに鑑み、本考案は、寸法の異なるワイヤーロープとステンレス鋼製スリーブとの締結作業を容易かつ確実に行うことを目的とするものである。
【課題を解決するための手段】
【０００７】
本考案は、所定長さと直径から成るステンレス鋼製のスリーブ体の周面部に単数又は複数の異なる数の筋線を設けて成るワイヤーロープ用スリーブである。
【考案の効果】
【０００８】
本考案は前記のとおりの構成を有するものであるため、作業員はワイヤーロープの一端部を挿入するステンレス鋼製のスリーブ体を、その周面に表示されている筋線の本数を視認することによって、挿通して輪っかを作成した後に所定位置で固定するワイヤーロープを選別することが確実にでき、両部材の締結作業を容易かつ迅速に行うことができるようになり、不適切な寸法のワイヤーロープの使用を未然に防止することができるのである。
【図面の簡単な説明】
【０００９】
【図１】（Ａ）〜（Ｆ）はステンレス鋼スリーブにおける表示例で、正面図と側面図とを並記している。
【図２】ワイヤーロープにスリーブ（図２・Ｄ）を締結した状態図。
【図３】（Ａ）は使用する作業工具の正面図、（Ｂ）のその頭部の正面図。
【考案を実施するための形態】
【００１０】
ワイヤーロープには直径の異なるものが多数用意されているから、作業員は各ワイヤーロープの一端部に挿入するオーバルスリーブをそれぞれ選別し、オーバルスリーブの通孔にワイヤーロープを通して「輪っか」を作った後、前記スリーブを作業工具によって加締めを行って固定するが、その出来上がり状態は図２に示しているとおりである。
【実施例】
【００１１】
本考案に係るスリーブ体の材質は、硬質金属であるステンレス鋼を想定している。
【００１２】
各スリーブ体の大きさは、挿通するワイヤーロープａの直径に合わせて構成した「突き抜け孔」（通孔）の口径差に適合する大きさになる。即ち、ステンレス鋼スリーブは、ワイヤーロープの規格であるステンレススリーブφ１．５，φ２．０，φ３．０，φ４．０，φ５．０，φ６．０・・・・（単位ｍｍ）に合うように通孔部の口径を決めて製造する。
【００１３】
スリーブ体で使用する筋線は、使用可能な最小のワイヤーロープ径のものから、スリーブ体の短手方向の周面部に表示し、ワイヤーロープの直径に合うスリーブ体上の表示は、周面部における筋線の数によって判別するのであり、また下記するＳＳ−１．５乃至ＳＳ−６．０とある記号については、商品のパッケージやタグに記載するものである。
【００１４】
直径１．５ｍｍのワイヤーロープを使用するステンレス鋼スリーブはＳＳ−１．５となり、スリーブ体の筋線は周面部の１本線とする。（図１・Ａ）
【００１５】
直径２．０ｍｍのワイヤーロープを使用するステンレス鋼スリーブはＳＳ−２．０となり、スリーブ体の筋線は周面部の２本線とする。（図１・Ｂ）
【００１６】
直径３．０ｍｍのワイヤーロープを使用するステンレス鋼スリーブはＳＳ−３．０となり、スリーブ体の筋線は周面部の３本線とする。（図１・Ｃ）
【００１７】
直径４．０ｍｍのワイヤーロープを使用するステンレス鋼スリーブはＳＳ−４．０となり、スリーブ体の筋線は周面部の４本線とする。（図１・Ｄ）
【００１８】
直径５．０ｍｍのワイヤーロープを使用するステンレス鋼スリーブはＳＳ−５．０となり、スリーブ体の筋線は周面部の５本線とする。（図１・Ｅ）
【００１９】
直径６．０ｍｍのワイヤーロープを使用するステンレス鋼スリーブはＳＳ−６．０となり、スリーブ体の筋線は周面部の６本線とする。（図１・Ｆ）
【００２０】
なお、各スリーブ体の外観に構成される複数線にあっては、その線間隔は任意であり、本数だけが問題となる。
【００２１】
以上の実施例においては、スリーブ体のステンレス材質によって線引きの方向性を短手方向の周面部にしている理由は、ステンレス鋼の材質硬度によって線引きし易い工程をとっているからであり、作業員は筋線の本数を見て、異径のワイヤーロープを挿通使用するスリーブの種類をそれぞれ選別すればよいのである。
【符号の説明】
【００２２】
１                          ステンレス鋼製スリーブ体
２                          １本筋線
３                          ２本筋線
４                          ３本筋線
５                          ４本筋線
６                          ５本筋線
７                          ６本筋線
ａ                          ワイヤーロープ
ｂ                          作業工具の頭部
ｃ                          作業工具の柄部
【手続補正２】
【補正対象書類名】実用新案登録請求の範囲
【補正対象項目名】全文
【補正方法】変更
【補正の内容】
【実用新案登録請求の範囲】
【請求項１】
所定長さと直径から成るスリーブ体の周面部に単数又は複数の異なる数の筋線を設けて成ることを特徴とするワイヤーロープ用スリーブ。